(57)【要約】【課題】大小カセットが共用される記録及び／又は再生装置において、大カセットに合せて大きく形成されたカセット挿入口への小カセットの挿入を明確に行うこと。【解決手段】フロントパネル２のカセット挿入口３の下面２ａのほぼ中央部に発光表示手段１１の発光端面１２を帯状に形成して、小カセット挿入位置を発光端面１２で帯状に発光ｌｔ１させることができる記録及び／又は再生装置。【選択図】図２
2007220248.tif 000002
【特許請求の範囲】
【請求項１】
フロントパネルに形成され、大きさが異なる複数種類のカセットが選択的に挿入されるカセット挿入口と、
該カセット挿入口への小カセット挿入位置であって、該カセット挿入口の幅方向の中央に指定されている小カセット挿入位置を指定する発光表示手段を備え、
該発光表示手段は前記小カセット挿入位置の横幅全領域内の少なくと両側領域を発光表示する
ことを特徴とする記録及び／又は再生装置。
【請求項２】
フロントパネルに形成され、大きさが異なる複数種類のカセットが選択的に挿入されるカセット挿入口と、
前記フロントパネルの内側で、前記カセット挿入口の上部に回転自在に取り付けられた開閉扉であって、該カセット挿入口へ選択的に挿入される前記カセットにより前記フロントパネルの内側へ押し開かれる暖簾方式の開閉扉と、
前記カセット挿入口への小カセット挿入位置であって、該カセット挿入口の幅方向の中央に指定されている小カセット挿入位置を指定する発光表示手段とを備え、
該発光表示手段は前記小カセット挿入位置の横幅全領域内の少なくと両側領域を発光表示する
ことを特徴とする記録及び／又は再生装置。
【請求項３】
前記発光表示手段は前記フロントパネルの前記カセット挿入口の下面相当位置又は前記開閉扉側の何れか一方又は両方に形成されている
ことを特徴とする請求項２に記載の記録及び／又は再生装置。
【請求項４】
前記発光表示手段は発光端が前記小カセット挿入位置の幅方向に沿って帯状に配置された光誘導手段と、
該光誘導手段へ光を入力する発光手段とによって構成されている
ことを特徴とする請求項１又は請求項２に記載の記録及び／又は再生装置。
【請求項５】
前記フロントパネルの前記カセット挿入口の下部にディスプレーが配置され、
発光端が前記フロントパネルの前記カセット挿入口の下面又は前記開閉扉の前記小カセット挿入位置に沿って帯状に配置された第１の光誘導手段と、前記ディスプレーの背面に沿って配置されて、該ディスプレーの背面に光を導入する第２の光誘導手段と、これら第１、第２の光誘導手段とに同時に光を入力する発光手段とによって前記発光表示手段が構成されている
ことを特徴とする請求項２に記載の記録及び／又は再生装置。
【請求項６】
前記発光端にはカセット挿入時の摩擦を軽減するリブが形成されている
ことを特徴とする請求項５に記載の記録及び／又は再生装置。
【発明の詳細な説明】
【技術分野】
【０００１】
本発明は、例えばＨＤＶ(ソニー株式会社と株式会社ビクターの登録商標）であるビデオ編集機(業務用ＶＴＲ）等に適用するのに最適な記録及び／又は再生装置に関するものである。
【背景技術】
【０００２】
本発明の出願人は、大小２種類のカセット（テープカセット））を選択的に記録及び／又は再生することができるＶＴＲ等において、フロントパネルのカセット挿入口の下面の中央に小カセットを誘導する凹所等を設けた特許を取得している。
【０００３】
しかし、カセット挿入口の下面の凹所で、小カセットを誘導する構造では、凹所内で小カセットがこじれ易い等から、小カセットのスムーズな挿入に多少の障害がある。
また、フロントパネルのデザインを多少阻害する上に、照明が薄暗い部屋での使用時には、小カセット挿入を明確に行えないと言う問題がある。
【特許文献１】特許第３５５１５５６号公報
【特許文献２】特許第３６０３３３８号公報
【発明の開示】
【発明が解決しようとする課題】
【０００４】
解決しようとする課題は、小カセット挿入時の障害が全く発生せず、例えば、照明が薄暗い部屋での使用時等においても、小カセット挿入を明確に行えるようにする点である。
【課題を解決するための手段】
【０００５】
本発明は、フロントパネルに形成され、大きさが異なる複数種類のカセットが選択的に挿入されるカセット挿入口と、該カセット挿入口への小カセット挿入位置であって、該カセット挿入口の幅方向の中央に指定されている小カセット挿入位置を指定する発光表示手段を備え、該発光表示手段は前記小カセット挿入位置の横幅全領域内の少なくと両側領域を発光表示する記録及び／又は再生装置である。
【発明の効果】
【０００６】
本発明の記録及び／又は再生装置は、フロントパネルに形成されたカセット挿入口の小カセット挿入位置を発光表示手段で表示するので、凹所で小カセットを誘導するものに比べて、小カセット挿入をよりスムーズに行える上に、照明が薄暗い部屋での使用時においても、小カセットの挿入を明確に誘導できる。
【実施例１】
【０００７】
本発明のビデオ編集機としての記録及び／又は再生装置の実施例１を図１〜図５によって説明する。
この記録及び／又は再生装置１は大小２つのカセット（磁気テープカセットの略）ＬＣ、ＳＣを選択的に記録及び／又は再生することができる。
大小２つのカセットに関し、小カセットＳＣの幅、奥行き、厚みは大カセットＬＣの幅、奥行き、厚みに対して約１／２、約１／３とほぼ同等に構成されている。大小カセットＬＣ、ＳＣの前端には２重構造の前蓋ＬＣａ、ＳＣａが設けられている。
【０００８】
記録及び／又は再生装置１のフロントパネル２は合成樹脂等にて成形されている。フロントパネル２の上部中央位置には、大小２つのカセットＬＣ、ＳＣを矢印ａ、ｂ方向から選択的に挿入、排出するための横幅（長さ）Ｌ１のカセット挿入口３が水平状に形成されている。
フロントパネル２のカセット挿入口３の下部中央位置に液晶パネル等のディスプレー４が方形状に設置されている。フロントパネル２のディスプレー４の両側には複数の操作部５や各種インジェーター等が配置されている。
カセット挿入口３は、横幅Ｌ１及び高さを大カセットＬＣａの横幅Ｗ１及び高さに合せて横長で、方形状に構成されている。
【０００９】
フロントパネル２のカセット挿入口３の内側には合成樹脂等にて成形された開閉扉６が取り付けられている。この開閉扉６は上端の左右２箇所に一対で、水平（同心状）の支点ピン７を介して内開き方式で矢印ｃ、ｄ方向に開閉されるいわゆる暖簾構造（暖簾方式）の扉に構成されている。
【００１０】
フロントパネル２におけるカセット挿入口３の下面２ａで、横幅方向の中央部、即ち、カセット挿入口３の横幅Ｌ１の中央部に発光表示手段１１の発光端面１２が、そのカセット挿入口３の幅方向に沿って横幅（長さ）Ｌ２の帯状で、水平状に配置されている。
この発光表示手段１１は、アクリル板やガラス板その他の光誘導性能を有する板形状の光誘導手段１３と、その光誘導手段１３へ光を入力するＬＥＤ等の発光ダイオードや豆電球等の１個或いは複数個の発光手段１４とによって構成されている。なお、発光手段１４は垂直状のプリント配線基板１５にマウントされている。
【００１１】
ここでは、光誘導手段１３はフロントパネル２の内側に垂直状に固着されている。その光誘導手段１３の上端面である帯状の発光端面１２がフロントパネル２のカセット挿入口３の下面２ａの中央部２ｂに横幅Ｌ２で水平状で、かつ、面一状に配置している。
帯状の発光端面１２の横幅（長さ）Ｌ２は小カセットＳＣの横幅Ｗ２とほぼ等しい寸法に設定されていて、その帯状の発光端面１２の横幅（長さ）Ｌ２が小カセット挿入位置を指定している。帯状の発光端面１２の横幅（長さ）Ｌ２＝小カセット挿入位置。
【００１２】
開閉扉６の前面の中央部には、発光表示手段１１の発光端面１２の横幅（長さ）Ｌ２とほぼ等しい横幅の凹部１８が上下方向の全域に亘って形成されている。フロントパネル２の前面の中央で、カセット挿入口３の上部にも開閉扉６の凹部１８に連続された凹部１９が形成されている。
発光表示手段１１の発光端面１２は開閉扉６の凹部１８の下部に沿って、その凹部１８の全幅に亘って形成されている。
【００１３】
フロントパネル２の前面中央部でカセット挿入口３の下部には方形状の凹部２０が形成されていて、方形状に形成されたディスプレー４が後方側へ傾く状態で配置されている。
従って、フロントパネル２におけるカセット挿入口３の下面２ａで、ディスプレー４の上部には小幅形状部２ｂに形成されている。
【００１４】
フロントパネル２の上記小幅形状部２ｂの上面の左右両端面近傍位置と、発光表示手段１１の発光端面１２の両端近傍位置には、カセット挿入方向にそれぞれ連続する左右一対のリブ２１、２２が形成されている。
フロントパネル１２の上記の下面２ａにもカセット挿入方向に延びる合計４つのリブ２３が形成されている。
【００１５】
これらのリブ２１、２２、２３は大小カセットＬＣ、ＳＣをカセット挿入口３内に選択的に挿入する際に、これら大小カセットＬＣ、ＳＣの底面との接触摩擦を小さくして、大小カセットＬＣ、ＳＣの挿入をスムーズに行うことができる効果がある。
特に、発光表示手段１１の発光端面１２に形成された左右一対のリブ２２は、小カセットＳＣの挿入時に、その小カセットＳＣの底面が直に摺動されることによって、発光端面１２に擦り傷が発生し、発光性能が劣化されることを防止する効果がある。
【００１６】
以上のように構成された記録及び／又は再生装置１によれば、この記録及び／又は再生装置１の電源ＯＮにより発光表示手段１１の発光手段１３を発光させることにより、光誘導手段１３を介して発光端面１２を青色、赤色その他の好ましい色に発光ｌｔ１させることができる。
これにより、使用者（ユーザー）は、カセット挿入口３への小カセットＳＣの挿入位置を、発光端面１２の発光照明によって明確に認識することができる。
従って、横幅（長さ）Ｌ１が大カセットＬＣの横幅Ｗ１に設定されているカセット挿入口３の中央部に小カセットＳＣを挿入する際に、小カセットＳＣを発光端面１２の発光ｌｔ１を確認しながら、その発光端面１２の真上に沿って挿入するだけで、小カセットＳＣを横幅（長さ）Ｌ１が大きいカセット挿入口３の中央位置へ容易に、かつ、正確に挿入することができる効果がある。
【００１７】
この際、開閉扉６の中央部の凹部１８、それの上方に連続されたフロントパネル２の凹部１９、更には、フロントパネル２のディスクスプレー４の前面の凹部２０等は、使用者を視覚的に発光表示手段１１の発光端面１２へ誘導させ易い効果がある。従って、発光端面１２の発光の効果と相俟って小カセットＳＣをカセット挿入口３の中央位置へより一層容易に、かつ、正確に挿入させ易い効果がある。
【実施例２】
【００１８】
本発明のビデオ編集機としての記録及び／又は再生装置の実施例２を図６及び図７によって説明する。
この記録及び／又は再生装置１の発光表示手段３１は、アクリル板やガラス板その他の光誘導性能を有する第１、第２の光誘導手段３２、３３と、ＬＥＤ等の発光ダイオードや豆電球等の１個又は複数個の発光手段３４とによって構成されている。
【００１９】
第１の光誘導手段３２はフロントパネル２におけるカセット挿入口３の下面２ａで、横幅方向の中央部に帯状で、水平状に配置されている。
第２の光誘導手段３３は第１の光誘導手段３２の下部に間隔を隔てて垂直状で、かつ、ディスプレー４の背面４ａ全体を閉塞する状態に配置されている。
１個又は複数個の発光手段３４が上下に配置されている第１、第２の光誘導手段３２、３３間に形成された隙間（空間）３５に配置されている。
【００２０】
第１の光誘導手段３２は断面形状が扁平状に形成されて、その上端面である第１の発光端面３６がカセット挿入口３の下部に水平状で、かつ、帯状に臨んでいる。
第２の光誘導手段３３は垂直方向の切断面が、下方に向って先窄まり形状となるほぼ鋭角三角形状に形成されていて、垂直状の前面が第２の発光端面３７に形成されている。この第２の発光端面３７がディスプレー４の背面４ａに平行状に密着又は近接されている。また、この第２の光誘導手段３３のほぼ三角形状の背面がシボその他の光反射面３３ａに形成されている。
【００２１】
以上のように構成された実施例２によれば、発光手段３４を発光させることにより、第１の光誘導手段３２に下面３２ａから光を導入して、上面である第１の発光端面３６を発光ｌｔ１させる。これと同時に、第２の光誘導手段３３に上端面３２ｂから光を導入して、反射面３３ａによって前方へ反射させて第２の発光端面３７を発光ｌｔ２させる。この第２の発光端面３７で発光された光ｌｔ２はディスプレー４の背面４ａを照明することができる。
【００２２】
従って、第１、第２の光誘導手段３２、３３間に配置された発光手段３４によってカセット挿入口３の第１の発光端面３６を発光ｌｔ１２させると共に、ディスプレー４を背面４ａから照明するバックライトｌｔ２として機能させることができる効果がある。
【産業上の利用可能性】
【００２３】
以上、本発明の実施例１、２に付き述べたが、本発明は実施例１、２に限定されることなく、本発明の技術的思想に基づいて各種の変更が可能である。
例えば、上記した実施例１、２では、記録媒体が磁気テープである磁気テープカセットを示したが、本発明で言うカセットは、記録媒体がディスクであるディスクカセットであっても良い。
また、発光端面１２の発光ｌｔ１の領域は必ずしも小カセット挿入位置の横幅（長さ）Ｌ２の全長に亘って設定する必要はなく、小カセット挿入位置の両端のみ、或いは、小カセット挿入位置の両端から中央に向って光量が減少するように発光させるようにしても良い。
また、発光表示手段３１を開閉扉６側に設けて、その開閉扉６の下端を横幅Ｌ２に亘って発光表示したり、フロントパネル２の下面２ａと開閉扉６の下端との両方を横幅Ｌ２に亘って発光表示させることもできる。
【図面の簡単な説明】
【００２４】
【図１】本発明の記録及び／又は再生装置の実施例１を説明するフロントパネル部分    の斜視図である。
【図２】図１の要部を拡大して示した斜視図である。
【図３】同上のフロントパネルの背面を表した斜視図である。
【図４】同上のフロントパネルの背面の開閉扉を除去して、発光表示手段を明確に表    した斜視図である。
【図５】同上の発光表示手段の縦断面側面図である。
【図６】本発明の記録及び／又は再生装置の実施例２を説明する縦断面側面図である。
【図７】同上の発光表示手段の斜視図である。
【符号の説明】
【００２５】
１  記録及び／又は再生装置、    ２  フロントパネル、    ３  カセット挿入口、        ４  ディスプレー、    ６  開閉扉、    １１  実施例１の発光表示手段、    １    ２    発光端面、    １３  光誘導手段、    １４  発光手段、    １８、１９、２    ０  凹部、    ３１  実施例２の発光表示手段、    ３２  第１の光誘導手段、        ３３  第２の光誘導手段、    ３４  発光手段、    ３５  隙間、    ３６  第１の    発光端面、    ３７  第２の発光端面
【図１】
2007220248.tif 000003
【図２】
2007220248.tif 000004
【図３】
2007220248.tif 000005
【図４】
2007220248.tif 000006
【図５】
2007220248.tif 000007
【図６】
2007220248.tif 000008
【図７】
2007220248.tif 000009